(57)【要約】【課題】パラメータの表示形態に関するユーザの要望に広く応えることができるプロセス制御用調整計を提供する。【解決手段】プロセス制御に関する演算を行う機能を有するメイン部に、パラメータを表示するとともに前記操作を受け付ける表示部を取り付ける取り付け部が形成され、前記取り付け部には、前記表示部としての第１の表示部または第２の表示部が選択的に取り付け可能とされる。前記第１の表示部は、プロセス制御に関するパラメータを画面表示する画面表示部と、前記パラメータの調整のための操作を受け付ける操作部と、を具備し、前記第２の表示部は、プロセス制御に関するパラメータをメータにより表示するメータ表示部と、前記パラメータの調整のための操作を受け付ける操作部と、を具備する。【選択図】図１
2013235427.tif 000002
【特許請求の範囲】
【請求項１】
プロセス制御に関する演算を行う機能と、プロセス制御に関するパラメータを表示する機能と、前記パラメータの調整のための操作を受け付ける機能と、を備えるプロセス制御用調整計において、
プロセス制御に関する演算を行う機能を有するメイン部に、前記パラメータを表示するとともに前記操作を受け付ける表示部を取り付ける取り付け部が形成され、
前記取り付け部には、前記表示部としての第１の表示部または第２の表示部が選択的に取り付け可能とされ、
前記第１の表示部は、プロセス制御に関するパラメータを画面表示する画面表示部と、前記パラメータの調整のための操作を受け付ける操作部と、を具備し、
前記第２の表示部は、プロセス制御に関するパラメータをメータにより表示するメータ表示部と、前記パラメータの調整のための操作を受け付ける操作部と、を具備することを特徴とするプロセス制御用調整計。
【請求項２】
前記メイン部は、前記取り付け部に前記第１の表示部または前記第２の表示部のうちのいずれが取り付けられるかに応じて切り替えられるスイッチを具備することを特徴とする請求項１に記載のプロセス制御用調整計。
【請求項３】
前記メイン部は、前記取り付け部に前記第１の表示部または前記第２の表示部のうちのいずれが取り付けられているかを検出して上記スイッチを切り替える検出手段を備えることを特徴とする請求項２に記載のプロセス制御用調整計。
【請求項４】
前記画面表示部は液晶表示装置により構成されることを特徴とする請求項１〜３のいずれか１項に記載のプロセス制御用調整計。
【請求項５】
前記メータはアナログ式メータであることを特徴とする請求項１〜４のいずれか１項に記載のプロセス制御用調整計。
【発明の詳細な説明】
【技術分野】
【０００１】
本発明は、プロセス制御に関する演算を行う機能と、プロセス制御に関するパラメータを表示する機能と、前記パラメータの調整のための操作を受け付ける機能と、を備えるプロセス制御用調整計に関する。
【背景技術】
【０００２】
発電所などのプラントでは、プロセス値の監視や設定値の調整および監視、操作値の調整および監視などのためにプロセス制御用調整計が使用されている。通常、プロセス制御用調整計では、プロセス値、設定値、操作値などのパラメータを液晶表示装置などの表示画面上にデジタル表示するように構成されている。表示画面を用いることにより、パラメータの値を明確に把握できるとともに、容易に大きな表示情報量を得ることができるなどの利点がある。
【先行技術文献】
【特許文献】
【０００３】
【特許文献１】特開２００９−２５０７３５号公報
【発明の概要】
【発明が解決しようとする課題】
【０００４】
しかし、既設のプロセス制御用調整計がアナログのメータ（指針）を用いた装置である場合などに、新たに表示画面を用いたデジタル表示方式のプロセス制御用調整計を導入すると既設の調整計との表示の統一性を失い、かえって表示内容が認識しにくくなる可能性がある。また、メータによる表示に慣れたユーザにとって、デジタル表示方式は必ずしも歓迎されるべきものではない。
【０００５】
本発明の目的は、パラメータの表示形態に関するユーザの要望に広く応えることができるプロセス制御用調整計を提供することにある。
【課題を解決するための手段】
【０００６】
本発明のプロセス制御用調整計は、プロセス制御に関する演算を行う機能と、プロセス制御に関するパラメータを表示する機能と、前記パラメータの調整のための操作を受け付ける機能と、を備えるプロセス制御用調整計において、プロセス制御に関する演算を行う機能を有するメイン部に、前記パラメータを表示するとともに前記操作を受け付ける表示部を取り付ける取り付け部が形成され、前記取り付け部には、前記表示部としての第１の表示部または第２の表示部が選択的に取り付け可能とされ、前記第１の表示部は、プロセス制御に関するパラメータを画面表示する画面表示部と、前記パラメータの調整のための操作を受け付ける操作部と、を具備し、前記第２の表示部は、プロセス制御に関するパラメータをメータにより表示するメータ表示部と、前記パラメータの調整のための操作を受け付ける操作部と、を具備することを特徴とする。
このプロセス制御用調整計によれば、プロセス制御に関するパラメータを画面表示する画面表示部を有する第１の表示部、または、プロセス制御に関するパラメータをメータにより表示するメータ表示部を有する第２の表示部が選択的に取り付け可能とされているので、パラメータの表示形態に関するユーザの要望に広く応えることができる。
【０００７】
前記メイン部は、前記取り付け部に前記第１の表示部または前記第２の表示部のうちのいずれが取り付けられるかに応じて切り替えられるスイッチを具備してもよい。
【０００８】
前記メイン部は、前記取り付け部に前記第１の表示部または前記第２の表示部のうちのいずれが取り付けられているかを検出して上記スイッチを切り替える検出手段を備えてもよい。
【０００９】
前記画面表示部は液晶表示装置により構成されてもよい。
【００１０】
前記メータはアナログ式メータであってもよい。
【発明の効果】
【００１１】
本発明のプロセス制御用調整計によれば、プロセス制御に関するパラメータを画面表示する画面表示部を有する第１の表示部、または、プロセス制御に関するパラメータをメータにより表示するメータ表示部を有する第２の表示部が選択的に取り付け可能とされているので、パラメータの表示形態に関するユーザの要望に広く応えることができる。
【図面の簡単な説明】
【００１２】
【図１】一実施形態のプロセス制御用調整計の概要構成を示す図。
【図２】ディスプレイ部ＤＰにデジタル表示装置３０が取り付けられている状態を示すブロック図。
【図３】ディスプレイ部ＤＰにアナログ表示装置４０が取り付けられている状態を示すブロック図。
【発明を実施するための形態】
【００１３】
以下、本発明によるプロセス制御用調整計の一実施形態について説明する。
【００１４】
図１は本実施形態のプロセス制御用調整計の概要構成を示す図、図２はディスプレイ部ＤＰにデジタル表示装置３０が取り付けられている状態を示すブロック図、図３はディスプレイ部ＤＰにアナログ表示装置４０が取り付けられている状態を示すブロック図である。
【００１５】
図１〜図３に示すように、本実施形態のプロセス制御用調整計は、メイン部ＭＰおよびディスプレイ部ＤＰからなり、ディスプレイ部ＤＰには、デジタル表示装置３０またはアナログ表示装置４０のいずれかが選択的に取り付けられる。
【００１６】
図２に示すように、メイン部ＭＰは、プロセス制御用調整計の動作を制御するためのメインＣＰＵ１１と、メインＣＰＵ１１と協働し、ディスプレイ部ＤＰに取り付けられたデジタル表示装置３０またはアナログ表示装置４０を制御するディスプレイＣＰＵ１２と、プラントあるいはプラント制御装置等から入力されたアナログプロセス値（PV）の選択を行う入力マルチプレクサ１３と、入力マルチプレクサ１３で選択されたアナログプロセス値（PV）をデジタル信号に変換するＡＤ変換部１４と、メイン部ＭＰ内でデジタル信号を中継するゲートアレイ１５と、ゲートアレイ１５からの出力値をアナログ値に変換するＤＡ変換部１６と、ＤＡ変換部１６から出力される操作値（MV）を受けるバッファ２１と、バッファ２１の出力電圧を電流に変換するＶ/Ｉ変換部２２と、ＤＡ変換部１６から出力される設定値（SV）を受けるバッファ２３と、デジタル表示装置３０またはアナログ表示装置４０が接続される接続部２５と、ディスプレイ部ＤＰに取り付けられるデジタル表示装置３０またはアナログ表示装置４０に応じて切り替えられるスイッチSW１〜SW５、とを備える。
【００１７】
図２に示すように、デジタル表示装置３０は、プロセス値（PV）、設定値（SV）、操作値（MV）などのパラメータを表示するLCDモジュール３１と、LCDモジュール３１のバックライト３１ａに電力を供給するDC/ACインバータ３２と、デジタル表示装置３０における制御表示を切り換え操作するためのキースイッチ３３と、警報および状態を表示するためのＬＥＤ３４と、設定値（SV）の入力操作を受け付けるSV操作キー３５と、操作値（MV）の入力操作を受け付けるMV操作キー３６と、を備える。
【００１８】
図２に示すように、デジタル表示装置３０とメイン部ＭＰとは、接続部２５を介して接続される。
【００１９】
一方、図３に示すように、アナログ表示装置４０は、プロセス値（PV）を表示するアナログ式メータ４１と、設定値（SV）を表示するアナログ式メータ４２と、操作値（MV）を表示するアナログ式メータ４３と、警報および状態を表示するためのＬＥＤ４４と、設定値（SV）の入力操作を受け付けるSV操作キー４５と、操作値（MV）の入力操作を受け付けるMV操作キー４６と、を備える。
【００２０】
アナログ表示装置４０におけるパラメータの表示形態はアナログ信号をメータによって表現するというアナログ方式であるが、一方、アナログ表示装置４０におけるSV操作キー４５およびMV操作キー４６による操作はデジタル信号を用いているという特徴がある。
【００２１】
図３に示すように、アナログ表示装置４０とメイン部ＭＰとは、接続部２５を介して接続される。
【００２２】
次に、デジタル表示装置３０をメイン部ＭＰに取り付けた場合の動作について説明する。
【００２３】
ディスプレイ部ＤＰにデジタル表示装置３０を装着し、プロセス制御用調整計を起動させると、例えば、デジタル表示装置３０からの特定の信号に基づいてＣＰＵ１２はデジタル表示装置３０を認識し、スイッチSW１〜SW５をそれぞれ「Ｌ」側に切り替える。これにより、ＬＥＤ３４およびSV操作キー３５がディスプレイＣＰＵ１２に、MV操作キー３６がゲートアレイ１５に、それぞれ接続され、ＬＥＤ３４が点灯するとともにSV操作キー３５およびMV操作キー３６が有効となる。また、Ｖ/Ｉ変換部２２の出力電流がアナログの操作値（MV）として直接出力される状態となる。また、接続部２５を介してLCDモジュール３１がゲートアレイ１５およびディスプレイＣＰＵ１２に接続され、ゲートアレイ１５およびディスプレイＣＰＵ１２から出力されるデジタル信号に基づいて、LCDモジュール３１にプロセス値（PV）、設定値（SV）および操作値（MV）が表示される。
【００２４】
デジタル表示装置３０のSV操作キー３５に対して設定値（SV）の入力操作を行うと、SV操作キー３５から出力されたデジタル信号はスイッチSW２を介してディスプレイＣＰＵ１２に与えられてディスプレイＣＰＵ１２およびゲートアレイ１５で処理され、ＤＡ変換部１６でアナログ電圧信号に変換される。ＤＡ変換部１６から出力されたアナログ電圧信号はバッファ２３を経てアナログの設定値（SV）として出力される。また、ゲートアレイ１５からのデジタル信号に基づいて、LCDモジュール３１に設定値（SV）が表示される。
【００２５】
一方、デジタル表示装置３０のMV操作キー３６に対して操作値（MV）の入力操作を行うと、MV操作キー３６から出力されたデジタル信号はスイッチSW３を介してゲートアレイ１５に与えられ、ゲートアレイ１５で処理されてＤＡ変換部１６でアナログ電圧信号に変換される。ＤＡ変換部１６から出力されたアナログ電圧信号は、バッファ２１を経てＶ/Ｉ変換部２２に入力され、Ｖ/Ｉ変換部２２の出力電流がスイッチSW4およびスイッチSW５を介してアナログの操作値（MV）として直接出力される。また、ゲートアレイ１５からのデジタル信号に基づいて、LCDモジュール３１に操作値（MV）が表示される。
【００２６】
次に、アナログ表示装置４０をメイン部ＭＰに取り付けた場合の動作について説明する。
【００２７】
ディスプレイ部ＤＰにアナログ表示装置４０を装着し、プロセス制御用調整計を起動させると、例えば、アナログ表示装置４０からの特定の信号に基づいてＣＰＵ１２はアナログ表示装置４０を認識し、スイッチSW１〜SW５をそれぞれ「Ｍ」側に切り替える。これにより、ＬＥＤ４４およびSV操作キー４５がディスプレイＣＰＵ１２に、MV操作キー４６がゲートアレイ１５に、それぞれ接続され、ＬＥＤ４４が機能する状態になるとともに、SV操作キー４５およびMV操作キー４６が有効となる。また、Ｖ/Ｉ変換部２２の出力電流がスイッチSW４およびスイッチSW５を介してアナログ式メータ４３を経由した後、アナログの操作値（MV）として出力される状態となる。また、アナログ式メータ４１およびアナログ式メータ４２は、それぞれ接続部２５を介してＤＡ変換部１６の出力側に接続され、アナログ式メータ４１にプロセス値（PV）が、アナログ式メータ４２に設定値（SV）が、それぞれ示される。
【００２８】
アナログ表示装置４０のSV操作キー４５に対して設定値（SV）の入力操作を行うと、SV操作キー４５から出力されたデジタル信号はスイッチSW２を介してディスプレイＣＰＵ１２に与えられてディスプレイＣＰＵ１２およびゲートアレイ１５で処理され、ＤＡ変換部１６でアナログ電圧信号に変換される。ＤＡ変換部１６から出力されたアナログ電圧信号はバッファ２３を経てアナログの設定値（SV）として直接出力される。また、ＤＡ変換部１６から出力されたアナログ電圧信号はアナログ式メータ４２に与えられ、アナログ式メータ４２によりアナログの設定値（SV）が示される。
【００２９】
一方、アナログ表示装置４０のMV操作キー４６に対して操作値（MV）の入力操作を行うと、MV操作キー４６から出力されたデジタル信号はスイッチSW３を介してゲートアレイ１５に与えられ、ゲートアレイ１５で処理されてＤＡ変換部１６でアナログ電圧信号に変換される。ＤＡ変換部１６から出力されたアナログ電圧信号は、バッファ２１を経てＶ/Ｉ変換部２２に入力され、Ｖ/Ｉ変換部２２の出力電流がスイッチSW4およびスイッチSW５を介してアナログ式メータ４３に与えられ、アナログの操作値（MV）として出力される。したがって、アナログ式メータ４３により操作値（MV）が示される。
【００３０】
以上のように、本実施形態のプロセス制御用調整計によれば、プロセス制御用調整計の導入時に、ディスプレイ部ＤＰにデジタル表示装置３０またはアナログ表示装置４０のいずれかを選択的に取り付けることができるため、パラメータの表示形態を選択することができる。例えば、ユーザの好みや、他の調整計の表示形態、設置場所等に応じて選択できる。このため、パラメータの表示形態に関するユーザの要望に広く応えることができる。
【００３１】
なお、上記実施形態では、スイッチSW１〜SW５の切り替えを、検出手段としてのＣＰＵ１２の認識に基づいて自動的に行なっているが、手動で切り替えるようにしてもよい。
【００３２】
本発明の適用範囲は上記実施形態に限定されることはない。本発明は、プロセス制御に関する演算を行う機能と、プロセス制御に関するパラメータを表示する機能と、前記パラメータの調整のための操作を受け付ける機能と、を備えるプロセス制御用調整計に対し、広く適用することができる。
【符号の説明】
【００３３】
１２    ディスプレイＣＰＵ（検出手段）
３０    デジタル表示装置（第１の表示部）
３１    LCDモジュール（画面表示部、液晶表示装置）
３５    SV操作キー（操作部）
３６    MV操作キー（操作部）
４０    アナログ表示装置（第２の表示部）
４１    アナログ式メータ（メータ表示部）
４２    アナログ式メータ（メータ表示部）
４３    アナログ式メータ（メータ表示部）
４５    SV操作キー（操作部）
４６    MV操作キー（操作部）
ＤＰ：ディスプレイ部（取り付け部）
SW１〜SW５：スイッチ
【図１】
2013235427.tif 000003
【図２】
2013235427.tif 000004
【図３】
2013235427.tif 000005